(57)【要約】【課題】釣糸放出時の釣糸案内体部分での糸抵抗の軽減が図れ、ＯＦＦ状態にあるクラッチ機構がＯＮ状態に誤復帰することを防止する魚釣用リールを提供する。【解決手段】魚釣用リールは、スプールから繰り出される釣糸を挿通させると共に、左右側板間で往復移動する釣糸案内体６０と、スプールを釣糸放出状態と釣糸巻き取り状態に切り換えるクラッチ機構２０とを有する。釣糸案内体６０は、釣糸放出状態で釣糸が位置する左右方向に幅広の開口部と、釣糸巻き取り状態で釣糸が位置する左右方向に幅狭の釣糸案内部とを有するとともに、クラッチ機構２０のＯＮ／ＯＦＦ操作に連動して前後方向に回動可能に支持されている。また、釣糸案内体６０とクラッチ機構２０との間には、クラッチ機構がＯＦＦ状態となったときに、釣糸案内体６０の回動でクラッチ機構２０がＯＮ状態に誤復帰するのを防止する誤復帰防止機構８０が設けられる。【選択図】図２
2014042479.tif 000002
【特許請求の範囲】
【請求項１】
リール本体の左右側板間に回転自在に支持されたスプールと、
前記スプールから繰り出される釣糸を挿通させると共に、前記左右側板間で往復移動する釣糸案内体を備えたレベルワインド装置と、
前記スプールを釣糸放出状態と釣糸巻き取り状態に切り換えるクラッチ機構と、
を有する魚釣用リールにおいて、
前記釣糸案内体は、釣糸放出状態で釣糸が位置する左右方向に幅広の開口部と、釣糸巻き取り状態で釣糸が位置する左右方向に幅狭の釣糸案内部と、を有するとともに、前記クラッチ機構のＯＮ／ＯＦＦ操作に連動して前後方向に回動可能に支持されており、
前記釣糸案内体と前記クラッチ機構との間に、前記クラッチ機構がＯＦＦ状態となったときに、前記釣糸案内体の回動でクラッチ機構がＯＮ状態に誤復帰するのを防止する誤復帰防止機構を設けたことを特徴とする魚釣用リール。
【請求項２】
前記誤復帰防止機構は、前記クラッチ機構を構成するクラッチプレートと前記釣糸案内体を回動可能に保持する回動プレートとを連結する連結部を有しており、
前記連結部は、前記クラッチ機構がＯＦＦ状態となったときに前記釣糸案内体の回動を許容する案内手段を有することを特徴とする請求項１に記載の魚釣用リール。
【請求項３】
前記回動プレートは、前記釣糸案内体をクラッチ機構のＯＦＦ状態側に付勢するように付勢手段によって付勢されていることを特徴とする請求項２に記載の魚釣用リール。
【発明の詳細な説明】
【技術分野】
【０００１】
本発明は、スプール前方の側板間に、スプールに釣糸を平行に巻回案内する釣糸案内体を備えた魚釣用リールに関する。
【背景技術】
【０００２】
従来、両軸受型タイプの魚釣用リールには、左右側板間に回転可能に支持されたスプールに対して釣糸を均等に巻回するようにレベルワインド装置が配設されている。このレベルワインド装置は、一方の側板側に回転可能に配設されたハンドルの巻き取り操作に連動して、スプール前方で左右に往復動する釣糸案内体を備えており、前記釣糸案内体に釣糸が挿通されることで、スプールに対して釣糸を平行に巻回することが可能となっている。
【０００３】
上記した構成の魚釣用リールでは、クラッチ機構をＯＦＦ操作してスプールをフリー回転状態に切り換えることで、スプールに巻回された釣糸は、前記釣糸案内体を通して放出されることになるが、スプールに巻回されている釣糸放出端と釣糸案内体との間の距離が近いと、釣糸放出時に糸抵抗が発生し易く、仕掛けの飛距離が低下してしまう（船釣りでは、仕掛けの落下速度が低下してしまう）。加えて、釣糸案内体は、スプールに対して均等に釣糸を巻回できるように、比較的、幅狭に形成されていることから、釣糸放出時の糸抵抗が大きくなり易い。
【０００４】
そこで、例えば、特許文献１には、クラッチ機構と連動する操作部材を反ハンドル側に設け、釣糸放出時に、この操作部材を前方に倒すことで、クラッチ機構をＯＦＦにすると同時に、外端に拡大した円形部を有する釣糸案内体を前方に回動させて、釣糸放出時の糸抵抗の軽減が図れる魚釣用リールが開示されている。
【先行技術文献】
【特許文献】
【０００５】
【特許文献１】特公昭３９−１１０３０号
【発明の概要】
【発明が解決しようとする課題】
【０００６】
上記した特許文献１に開示されている魚釣用リールは、クラッチＯＦＦ状態において、操作部材及び釣糸案内体が側板より前方側に大きく突出するため、手に触れたり他物に接触してクラッチ機構がＯＦＦ状態からＯＮ状態に誤復帰してしまう可能性がある。また、クラッチＯＦＦ状態において、例えば、キャスティング時の振動、衝撃等によって、クラッチ機構がＯＮ状態に誤復帰してしまう可能性がある。
【０００７】
本発明は、上記した問題に着目してなされたものであり、釣糸放出時の釣糸案内体部分での糸抵抗の軽減が図れるとともに、ＯＦＦ状態にあるクラッチ機構がＯＮ状態に誤復帰することを防止する魚釣用リールを提供することを目的とする。
【課題を解決するための手段】
【０００８】
上記した目的を達成するために、本発明に係る魚釣用リールは、リール本体の左右側板間に回転自在に支持されたスプールと、前記スプールから繰り出される釣糸を挿通させると共に、前記左右側板間で往復移動する釣糸案内体を備えたレベルワインド装置と、前記スプールを釣糸放出状態と釣糸巻き取り状態に切り換えるクラッチ機構と、を有しており、前記釣糸案内体は、釣糸放出状態で釣糸が位置する左右方向に幅広の開口部と、釣糸巻き取り状態で釣糸が位置する左右方向に幅狭の釣糸案内部と、を有するとともに、前記クラッチ機構のＯＮ／ＯＦＦ操作に連動して前後方向に回動可能に支持されており、前記釣糸案内体と前記クラッチ機構との間に、前記クラッチ機構がＯＦＦ状態となったときに、前記釣糸案内体の回動でクラッチ機構がＯＮ状態に誤復帰するのを防止する誤復帰防止機構を設けたことを特徴とする。
【０００９】
上記した構成の魚釣用リールによれば、レベルワインド装置を構成する釣糸案内体が、クラッチ機構のＯＮ／ＯＦＦ操作に連動して前後方向に回動可能に支持されており、釣糸放出状態（クラッチＯＦＦ状態）では、釣糸が左右方向に幅広の開口部に位置して放出抵抗の軽減が図られ、釣糸巻き取り状態（クラッチＯＮ状態）では、釣糸が左右方向に幅狭の釣糸案内部に位置してスプールに対する釣糸の巻き取り状態の向上が図られる。そして、クラッチＯＦＦ状態（釣糸放出状態）では、前記釣糸案内体に他物が接触したり、振動等によって釣糸案内体をクラッチＯＮ状態に戻すような力が作用しても、誤復帰防止機構によって、クラッチＯＮ状態に誤復帰することが防止される。
【発明の効果】
【００１０】
本発明によれば、釣糸案内体部分での釣糸放出時の糸抵抗の軽減が図れるとともに、ＯＦＦ状態にあるクラッチ機構がＯＮ状態に誤復帰することを防止する魚釣用リールが得られる。
【図面の簡単な説明】
【００１１】
【図１】本発明に係る魚釣用リールを示し、釣糸案内体部分を露出させた平面図。
【図２】図１に示す魚釣用リールにおいて、クラッチ機構の動力伝達部分の構成を示す側面図（クラッチＯＮ状態）。
【図３】図１に示す魚釣用リールにおいて、クラッチ機構の動力伝達部分の構成を示す側面図（クラッチＯＦＦ状態）。
【図４】クラッチプレートと釣糸案内体を回動させる回動プレートとの連結部分の構造を示す断面図。
【図５】図１に示す魚釣用リールのＡ−Ａ線に沿った断面図であり、釣糸案内体が釣糸巻き取り状態（クラッチＯＮ状態）にあるときを示す図。
【図６】図１に示す魚釣用リールのＡ−Ａ線に沿った断面図であり、釣糸案内体が釣糸放出状態（クラッチＯＦＦ状態）にあるときを示す図。
【図７】釣糸案内体を拡大して示す斜視図（クラッチＯＮ状態）。
【図８】図７に示す釣糸案内体の正面図。
【図９】釣糸案内体を拡大して示す斜視図（クラッチＯＦＦ状態）。
【図１０】図９に示す釣糸案内体の正面図。
【発明を実施するための形態】
【００１２】
以下、図面を参照しながら本発明に係る魚釣用リールについて説明する。  
図１から図３は、本発明に係る魚釣用リールの一実施形態を示す図であり、図１は、釣糸案内体部分を露出させた平面図、図２は、クラッチ機構の動力伝達部分の構成を示す側面図（クラッチＯＮ状態）、そして、図３は、クラッチ機構の動力伝達部分の構成を示す側面図（クラッチＯＦＦ状態）である。なお、以下において、前後方向、左右方向、及び上下方向は、図１および図２で示す方向で定義する。
【００１３】
本実施形態に係る魚釣用リールは、左右のフレーム２ａ，２ｂを左右カバー３ａ，３ｂで覆った左右側板１Ａ，１Ｂを備えたリール本体１を有している。前記リール本体には、左右側板間に位置し、図示しない釣竿に装着されるリール脚１Ｃが一体形成されている。また、前記左右のフレーム２ａ，２ｂ間には、スプール軸５が軸受を介して回転可能に支持されており、スプール軸５には、釣糸が巻回されるスプール５Ａが一体的に固定されている。
【００１４】
本実施形態では、前記スプール５Ａを回転駆動するハンドル８を右側板１Ｂ側に設置しており、右フレーム２ｂと右カバー３ｂとの間の空間には、ハンドル８の回転駆動力をスプール軸５に伝達する公知の動力伝達機構１０が配設されている。また、右フレーム２ｂと右カバー３ｂとの間には、スプール軸５を動力伝達状態と動力遮断状態に切り換える公知のクラッチ機構２０が配設されており、このクラッチ機構２０は、スプール５Ａの後方側の左右側板間に配設されたクラッチ切り換え操作部材（以下、操作部材と称する）２１を押し下げ操作することで、クラッチＯＮ状態（動力伝達状態であり釣糸巻き取り状態）からＯＦＦ状態（動力遮断状態であり釣糸放出状態）に切り換えるようになっている。
【００１５】
前記左右の側板１Ａ，１Ｂ間には、スプール５Ａの釣糸繰出し方向側に、レベルワインド装置５０が配設されている。このレベルワインド装置５０は、前記ハンドル８を回転操作することで、釣糸を挿通する釣糸案内体６０が左右に往復移動するよう構成されており、釣糸の巻き取り操作に伴って、スプール５Ａに対して釣糸を均等に巻回する機能を有する。
【００１６】
前記駆動力伝達機構１０は、ハンドル８が固定されたハンドル軸８ａにドラグ機構と関連して回転可能に装着された駆動歯車１１と、この駆動歯車１１に噛合するピニオン１２とを備えている。前記ピニオン１２は、スプール軸５と同軸上に設置されており、ピニオン軸（スプール軸であっても良い）１２ａに沿って軸方向に移動可能となっている。また、ピニオン１２の外周には、円周溝１２ｂが形成されており、この円周溝１２ｂに、後述するクラッチ機構２０のヨーク２２が係合して、ピニオン１２を軸方向に移動させるようになっている。すなわち、ピニオン１２が軸方向に移動することで、スプール軸５との間で継脱がなされ、動力伝達状態（クラッチＯＮ状態）／動力遮断状態（クラッチＯＦＦ状態）に切り換えられるようになっている。
【００１７】
前記クラッチ機構２０は、右フレーム２ｂに対して回動可能に支持され、振り分けバネ２３によって、図２に示す動力伝達状態（クラッチＯＮ状態）と、図３に示す動力遮断状態（クラッチＯＦＦ状態）に振り分け保持されるクラッチプレート２５を備えている。このクラッチプレート２５は、右フレーム２ｂに上下方向に形成された連結孔２ｄを介して前記操作部材２１と連結されており、クラッチプレート２５に形成された長孔２５ａに、右フレーム２ｂに突出するように設けられたピン２ｅが挿入されて、その回動駆動が案内されるようになっている。
【００１８】
前記クラッチプレート２５の表面には、公知のように、前記ピニオン１２の円周溝１２ａに係合したヨーク２２と係合可能な一対のカム面２６が形成されている。前記ヨークの先端側は、右フレーム２ｂに突設された支持ピン２７によって保持されており、ヨークは、各支持ピンに配設されたバネ部材（図示せず）によって常時、クラッチプレート２５側に付勢された状態となっている。なお、図２は、ヨーク２２がバネ部材によってクラッチプレート２５側に付勢された状態を示しており、このとき、ピニオン１２はスプール軸の端部に形成されている係合部に嵌合してクラッチＯＮ状態となっている。
【００１９】
前記クラッチプレート２５は、操作部材２１が、図２の矢印に示すように押下げ操作されると反時計回り方向に回動され、前記カム面、及びヨークを介して、ピニオン１２をスプール軸の端部に形成されている係合部から離脱させ、図３に示すように、クラッチＯＦＦ状態に切り換える。なお、この状態は、前記振り分けバネ２３によって保持される。
【００２０】
前記クラッチプレート２５には、クラッチをＯＦＦ状態からＯＮ状態にする自動復帰機構３０が設けられている。この自動復帰機構３０は、クラッチプレートに一体的に設けられるキック部材３１と、前記ハンドル軸８ａに回り止め固定されるラチェット３２とを備えており、前記キック部材３１は、クラッチＯＮからクラッチＯＦＦに切り換えると、図３に示すように、ラチェット３２の回転軌跡内に侵入するように配置、構成されている。このため、クラッチＯＦＦ状態において、前記ハンドル８を巻き取り操作すると、ラチェット３２の回転により、キック部材３１はキックされ、自動的にクラッチプレート２５をクラッチＯＮ状態の位置に復帰させて、振り分けバネ２３のバネ力で保持される。なお、クラッチの復帰は、前記操作部材２１を押し上げ操作しても行うことが可能である。
【００２１】
前記スプール５Ａの前方側の左右側板間には、前記レベルワインド装置５０が配置されている。以下、レベルワインド装置５０の構成について、図４から図１０を併せて参照しながら説明する。なお、これらの図において、図４は、クラッチプレートと釣糸案内体を回動させる回動プレートとの連結部分の構造を示す断面図、図５は、図１に示す魚釣用リールのＡ−Ａ線に沿った断面図であり、釣糸案内体が釣糸巻き取り状態（クラッチＯＮ状態）にあるときを示す図、図６は、釣糸案内体が釣糸放出状態（クラッチＯＦＦ状態）にあるときを示す図、図７は、釣糸案内体を拡大して示す斜視図（クラッチＯＮ状態）、図８は、図７に示す釣糸案内体の正面図、図９は、釣糸案内体を拡大して示す斜視図（クラッチＯＦＦ状態）、そして、図１０は、図９に示す釣糸案内体の正面図である。
【００２２】
前記レベルワインド装置５０は、スプール５Ａに巻回された釣糸Ｓを挿通させる釣糸案内体６０を備えており、この釣糸案内体６０は、軸受５２（図４参照）を介して左右側板間に回転可能に支持され、前記駆動力伝達機構１０を介して回転可能に駆動される螺軸（ウォームシャフト）５１によって、左右往復駆動されるよう構成されている。すなわち、前記螺軸５１の右フレーム側には、前記ハンドル軸８ａに装着された駆動歯車１１と隣接して配設されてハンドル軸８ａと一体的に回転する連結ギア（図示せず）と噛合する入力ギア５３が設けられており、前記螺軸５１は、連結ギア及び入力ギア５３を介してハンドル８の回転駆動と同期して回転駆動されるようになっている。
【００２３】
前記螺軸５１は、左右側板間に回動可能に保持される管状体（筒体）５５内に収容された状態となっており、前記管状体５５の外面には、軸方向に延出する長孔５５ａが形成され、前記螺軸５１の表面に形成された螺旋溝５１ａを軸方向に沿って部分的に露出させている。また、前記釣糸Ｓを挿通させる釣糸案内体６０は、釣糸挿通部６０Ａと保持部６０Ｂを一体的に備えており、前記保持部６０Ｂが前記管状体５５を囲繞するように、配置、形成されている。
【００２４】
前記保持部６０Ｂは、その内部に、前記長孔５５ａを介して螺旋溝５１ａと係合する摺動子６１を保持している。この摺動子６１は、袋ナット６２によって、前記保持部６０Ｂに対して固定される。また、前記釣糸案内体６０は、螺軸５１の回転によって、螺旋溝５１ａと摺動子６１との係合関係によって、軸方向に沿って移動しつつ、管状体５５の回りを回転しないように、回り止めされている。本実施形態の構成では、前記管状体５５の外周に、軸方向に沿って延出する回り止め部５５ｂを形成しており、回り止め部５５ｂに対して、保持部６０Ｂの係合部６４を係合させることで、回り止めを果たしている。具体的には、回り止め部５５ｂは、管状体５５の外周に、軸方向に延出する突起（図５，図６に示すように、１８０°間隔で一対設けられている）として構成されており、係合部６４は、そのような突起に入り込む凹部として構成されている。
【００２５】
上記のように、螺軸５１を収容する管状体５５に回り止め部５５ｂを一体形成することで、従来のように、釣糸案内体６０を回り止めするガイド軸を配設する必要がなくなり、レベルワインド装置の構造を簡素化することが可能となる。
【００２６】
また、釣糸案内体６０は、前記螺軸５１が回転駆動されると、摺動子６１を介して左右側板間で往復駆動されると共に、本実施形態では、上述したクラッチ機構２０のＯＮ／ＯＦＦに連動して釣糸巻き取り状態と釣糸放出状態との間で切り換えられるように、前後方向に回動可能に構成されている。この場合、本実施形態の釣糸案内体６０の回動駆動は、管状体５５を回動可能に保持する回動プレート５９を介して成されるようになっている。
【００２７】
ここで、クラッチ機構２０から管状体５５（回動プレート５９）に至るまでの動力伝達経路を具体的に説明する。  
前記クラッチプレート２５には、リール本体の前方側に向けて突出する突片２５ｂが形成されており、その先端には、右フレーム側に向けて突出し、連結部８１を構成する係合突起２５ｃが一体形成されている。一方、右フレーム２ｂには、前記螺軸５１が支持される部分に、前記回動プレート５９が保持されており、前記管状体５５は、右フレーム２ｂの内面側において、回動プレート５９と回り止め固定されている。すなわち、回動プレート５９には、径方向に突出する凸部５９ａが形成されており、この凸部５９ａに、管状体５５の端部に形成された凹部５５ｃが嵌合することで、両者は、右フレーム２ｂの内面側で固定された状態（一体回動可能な状態）となっている。
【００２８】
前記回動プレート５９は、前記螺軸５１を回転可能に支持する軸受５２の外輪と右フレーム２ｂとの間で回動可能に支持されており、右フレーム２ｂの外面側に沿って、前記クラッチプレート２５の突片２５ｂと係合する連結片５９ｂ（連結部８１を構成する）が形成されている。そして、連結片５９ｂには、連結部８１を構成する長孔５９ｃが形成されており、この長孔５９ｃに、前記クラッチプレート２５の突片２５ｂの係合突起２５ｃが遊挿されることで、回動プレート５９は、図２及び図３に示すように、クラッチプレート２５のＯＮ／ＯＦＦ動作による回動に伴って、螺軸５１の軸芯を中心に回動されるようになっている。
【００２９】
この結果、回動プレート５９は、前記振り分けバネ２３によって、釣糸巻き取り状態と釣糸放出状態との間で振り分け保持されるクラッチプレート２５と共に、２つの位置（クラッチＯＮ位置／クラッチＯＦＦ位置）で切り換えられるようになっている。すなわち、前記釣糸案内体６０は、クラッチプレート２５及び回動プレート５９を介して、管状体５５が回動駆動されることで、スプールの前方において、前後方向（本実施形態では、前方がクラッチＯＦＦ位置、後方がクラッチＯＮ位置）に回動駆動される。
【００３０】
前記クラッチ機構２０と釣糸案内体６０との間には、クラッチ機構がＯＦＦ状態となったときに、釣糸案内体６０の回動（ここでは、後方側の回動）でクラッチ機構がＯＮ状態に誤復帰するのを防止する誤復帰防止機構８０が設けられている。
【００３１】
この誤復帰防止機構８０は、釣糸案内体６０が他物に当たって後方に回動しても、その回動を許容（吸収）できるような構成であれば良く、本実施形態では、前記クラッチプレート２５と回動プレート５９を連結する連結部８１の部分に設けられている。具体的に誤復帰防止機構８０は、図２及び図３に示すように、回動プレート５９の反時計回り方向の回動を許容できるような案内手段として構成することが可能であり、クラッチプレート２５の突片２５ｂに形成された係合突起２５ｃが挿通される前記長孔５９ｃの端部において、回動プレート５９の回動方向に沿って延出する長孔８２として構成することが可能である。
【００３２】
このような長孔８２は、前記回動プレート５９の連結片５９ｂに形成された長孔５９ｃの端部から連続形成されており、図３に示すクラッチＯＦＦ状態で、釣糸案内体６０（回動プレート５９）がクラッチＯＮ方向側（後方側）に回動しても、その回動を許容（吸収）する機能を備えている。
【００３３】
また、本実施形態では、前記回動プレート５９は、クラッチ機構のＯＦＦ状態側に付勢するように付勢手段によって付勢されている。この場合、付勢手段は、右フレーム２ｂと回動プレート５９との間に配設されるバネ部材８５によって構成することが可能であり、その一端は、右フレーム２ｂに突出形成されたボス８５ａに掛けられ、他端は、回動プレート５９の連結片５９ｂに連結されている。このバネ部材８５は、図２に示すように、クラッチ機構２０がＯＮ状態のとき、クラッチプレート２５の係合突起２５ｃが長孔５９ｃの一端部に位置して伸びた状態にあり、クラッチ機構２０がＯＦＦ状態に切り換えられる（クラッチプレート２５が回動される）と、図３に示すように、係合突起２５ｃが長孔５９ｃの他端部側に移動しながら回動プレート５９の回動を補助する機能を有する。このため、クラッチ機構をＯＦＦに切り換える際の釣糸案内体６０の釣糸放出位置への移動がスムーズに行われるようになる。
【００３４】
また、前記バネ部材８５は、クラッチＯＦＦ状態で、釣糸案内体６０が他物に当たる等によって後方に回動し、回動プレート５９が図３に示す位置から反時計回り方向に回動しても、直ちに釣糸案内体６０を図３に示す位置に戻す機能を有するため、釣糸放出時では可能な限り、釣糸に対する抵抗を軽減することが可能となる。
【００３５】
前記釣糸案内体６０の釣糸挿通部６０Ａは、スプール５Ａからの釣糸を挿通させる部分であり、ＳＵＳ、チタン等の釣糸抵抗が少ない材料によるフレーム体６０Ｆとして構成されており、図７から図１０に示すように、前記保持部６０Ｂと共に一体形成されている。具体的には、左右方向に幅狭（細溝状）となった釣糸案内部６７と、その釣糸案内部６７の上方側で、略対称となるように左右方向に拡がる幅広の開口部６８とを備えている。この場合、開口部６８は、図１０に示すように、釣糸放出状態となったときの正面視（挿通される釣糸Ｓに沿って前方から見た正面視）で、左右方向に拡がる略楕円形状となるように形成されており、その両サイド壁は、開口部６８の略中央の下部に形成される釣糸案内部６７に向けて傾斜して釣糸Ｓを案内する傾斜案内面６８ａとなっている。
【００３６】
前記開口部６８を有するフレーム体６０Ｆは、釣糸放出状態で側面視した際、前後方向に対して傾斜した状態（後方側に向けて次第に立ち上がる形状）となっており、開口部６８を規定する上壁６８ｂは、釣糸放出状態では、前後方向に沿った状態となって（図６及び図９参照）、可能な限り広い開口を確保できるようになっている。したがって、開口部６８を規定する前後方向に沿った上壁６８ｂの後端縁６９は、釣糸放出状態から釣糸巻き取り状態に回動した際、開口部６８内に挿通されている釣糸Ｓに対して、上側から当接できる位置関係となっており、釣糸Ｓを規制する規制部としての機能を有する（以下、後端縁を規制部６９と称する）。
【００３７】
なお、規制部６９は、フレーム体６０Ｆとして一体形成される部分であり、釣糸案内体６０が前記クラッチ機構２０に連動して、釣糸放出状態から釣糸巻き取り状態に回動した状態で正面視した際（図８に示すように、釣糸Ｓに沿って前方から見た際）、前記釣糸案内部６７の上下長さＬの範囲内となるような配置関係となっていれば良い。すなわち、このような配置関係となっていれば、釣糸案内体６０が、釣糸放出状態から釣糸巻き取り状態に回動すると、開口部６８のいずれかの部分に位置する釣糸Ｓは、規制部６９によって押し付けられ、傾斜案内面６８ａに沿って確実に釣糸案内部６７に案内することが可能となる。また、このような位置関係となっていれば、釣糸巻き取り状態で、釣糸Ｓを確実に釣糸案内部６７から離脱しないようにすることができる。
【００３８】
前記左右方向に幅狭となった釣糸案内部６７は、上下方向に延出しており、そこに入り込んだ釣糸Ｓの左右方向のブレを防止して、スプール５Ａに対して、安定して釣糸を平行巻きする機能（糸巻状態を向上する機能）を有する。
【００３９】
なお、上記した構成において、釣糸案内部６７を規定する両壁６７ａは、図５及び図６に示すように、前記摺動子６１を固定する袋ナット６２の上方を覆うように伸びていることが好ましく、このような構成により、釣糸案内部６７に入り込んでいる釣糸が、前記袋ナット６２の部分で絡むことを効果的に防止することが可能となる。また、釣糸案内部６７の底面６７ｃは、図５に示す釣糸巻き取り状態において、前方に向けて次第に下方向に傾斜する傾斜面となっていることが好ましい。すなわち、このような底面形状にすることにより、スプールから傾斜した状態で繰り出される釣糸との摩擦抵抗の低減が図れるようになる。
【００４０】
次に、上述したように構成される魚釣用リールの作用、及び効果について説明する。  
図２及び図５に示すクラッチＯＮ状態において、スプール５Ａの後方側に位置する操作部材２１を押し下げ操作すると、前記クラッチ機構２０を構成するクラッチプレート２５は、反時計回りに回動され、振り分けバネ２３によって、図３に示す状態に保持される。このとき、クラッチプレート２５の表面に形成されたカム面がヨークを軸方向にシフトさせ、ピニオン１２をスプール軸５から離脱させる（クラッチＯＦＦ状態）。また、この操作によるクラッチプレート２５の回動に伴って、前記回動プレート５９は、螺軸５１の軸芯を中心に回動され、これに回り止めされている管状体５５は、図２（図５）に示す位置から、図３（図６）に示す位置に回動される。
【００４１】
したがって、前記釣糸案内体６０は、管状体５５に保持されていることから、図５（図７，図８）に示す状態から、図６（図９，図１０）に示すように回動される。そして、このように回動された釣糸案内体６０は、スプール５Ａがフリー回転可能な状態（釣糸放出状態；クラッチＯＦＦ状態）となっており、前記釣糸案内部６７に入り込んでいる釣糸Ｓは、規制部６９による規制が外れ、開口部６８に移動する。なお、通常、釣糸放出状態では、スプール５Ａに対する釣糸の巻回量が多いため、規制部６９の規制が外れることで、釣糸は、直ちに開口部６８に移動することができる。
【００４２】
この状態で、スプール５Ａはフリー回転可能状態となっており、キャスティング操作等により、釣糸Ｓは放出される。この場合、釣糸案内体６０は、スプール５Ａの前方において、図６、及び図９、図１０に示す状態に回動されており、その開口部６８は、左右方向に幅広状に形成されていることから、その内面から接触抵抗を受けることが少なくなり、仕掛けの飛距離を低下させる（船釣りの場合、仕掛けの落下速度を低下させる）ことはない。すなわち、釣糸を放出する際に、釣糸案内体６０からの放出抵抗を軽減することが可能となる。
【００４３】
また、このクラッチＯＦＦ状態（釣糸放出状態）において、釣糸案内体６０に他物が接触したり、振動等によって、釣糸案内体６０に、図３の矢印（イ）で示すようなクラッチＯＮ状態に戻すような力が作用しても、誤復帰防止機構８０によって、矢印（ロ）で示すように回動プレート５９の回動が許容されるため、クラッチ機構がＯＮ状態に誤復帰することが防止される。また、釣糸案内体６０は、バネ部材８５によって、直ちに釣糸放出位置に戻されるため、糸抵抗が増加することを極力防止することが可能となる。
【００４４】
そして、クラッチ機構２０をＯＮ復帰させるべく、ハンドル８を巻き取り操作すると、前記自動復帰機構３０によって、クラッチプレート２５は、図２に示す位置に自動復帰する。このクラッチプレート２５のＯＮ状態の復帰に伴って、管状体５５は、前記回動プレート５９を介して、図２及び図５に示す状態に回動され、釣糸案内体６０は、図５、及び図７，図８に示す位置に切り換えられる。このとき、開口部６８のいずれかの部分に位置している釣糸Ｓは、回動する規制部６９が当て付いて押し付けられ、開口部６８の傾斜案内面６８ａに沿って確実に中央に位置する釣糸案内部６７に案内される。また、図８に示すように、釣糸巻き取り状態では、釣糸Ｓは、規制部６９によって釣糸案内部６７から離脱することはない。
【００４５】
その後、ハンドル８を巻き取り操作することで、上記したレベルワインド装置５０の螺軸５１は、ハンドル軸８ａに設けられた連結ギア、及びこれに噛合する入力ギア５３を介して回転駆動される。前記螺軸５１が回転駆動されることで、釣糸案内体６０は、螺軸５１の外周面に形成された螺旋溝５１ａと係合する摺動子６１を介して、管状体５５に沿って左右往復動される。この場合、管状体５５の外周には、軸方向に沿って延出する回り止め部５５ｂが形成されているため、釣糸案内体６０は、軸回りに回転することなく、左右に往復駆動される。これにより、釣糸Ｓは、左右方向に幅狭となった釣糸案内部６７によって、スプール５Ａに対して、安定して平行巻きされ、さらには、規制部６９の位置によって、釣糸案内部６７から離脱することもないため、常時、安定した平行巻き状態が確保される。  
なお、スプール５Ａに対する釣糸Ｓの巻回量が少ない場合、例えば、釣糸を多量に放出した状態では、釣糸案内部６７に位置する釣糸Ｓは、規制部６９に接触していなくても良い。
【００４６】
以上、本発明の実施形態について説明したが、本発明は、上記した実施形態に限定されることはなく、種々変形することが可能である。
【００４７】
前記誤復帰防止機構８０については、クラッチ機構がＯＦＦ状態となったときに、釣糸案内体６０の回動を許容（振動を吸収）できるような構造であれば良く、釣糸案内体６０からクラッチ機構２０に至る経路のいずれかの位置に設置することが可能である。また、上記した実施形態では、回動プレート５９の連結部８１に長孔８２を形成したが、このような長孔８２は、クラッチプレート２５側に形成しても良い。また、回動プレート５９を付勢する付勢手段については、バネ部材８５以外にも、磁石によって構成しても良いし、弾性体を配設して釣糸案内体６０の回動を許容（振動を吸収）する構造であっても良い。
【００４８】
また、上記した釣糸案内体６０については、その形状を適宜、変形することが可能である。例えば、開口部６８を略三角形状にしたり、略円形状にする等、適宜変形することが可能であり、規制部６９については形成しない構成であっても良い。また、釣糸案内体６０は、釣糸と接触する部分に、耐摩耗性を有すると共に、摺動抵抗の少ない部材（釣糸接触部材）を取着しておいても良い。このような釣糸接触部材を取着しておくことで、釣糸放出時や釣糸巻き取り時に釣糸が接触しても、切れることを防止でき、かつ接触抵抗を更に軽減することが可能となる。
【００４９】
さらに、釣糸案内体６０は、クラッチＯＮ状態で前方に回動させるような構成であっても良い。この場合、釣糸案内体６０を回動するに際しては、管状体５５の外周に、軸方向に延出する突起を設けて回り止めしたが、管状体５５に形成される長孔５５ａのエッジ５５ｅによって回り止めするようにしても良い。
【符号の説明】
【００５０】
１  リール本体
１Ａ，１Ｂ  左右側板
５  スプール軸
５Ａ  スプール
２０  クラッチ機構
５０  レベルワインド装置
５５  管状体
６０  釣糸案内体
６７  釣糸案内部
６８  開口部
６９  規制部
８０  誤復帰防止機構
８１  連結部
８５  バネ部材
【図１】
2014042479.tif 000003
【図２】
2014042479.tif 000004
【図３】
2014042479.tif 000005
【図４】
2014042479.tif 000006
【図５】
2014042479.tif 000007
【図６】
2014042479.tif 000008
【図７】
2014042479.tif 000009
【図８】
2014042479.tif 000010
【図９】
2014042479.tif 000011
【図１０】
2014042479.tif 000012